(57)【特許請求の範囲】
【請求項１】
編み糸とカバリーングヤーン及び／又はゴム糸とでもって爪先部、足甲部、底部、踵部、レッグ部及び履口部を編成してなる靴下において、
上記足甲部及び底部のうちの足の甲及び土踏まずを覆う部分が、表糸をパイル編みのシンカー乗せ編みにて編成するとともに、裏糸としてゴム糸又はカバリングヤーンをコース方向に１目ないし３目の目数を飛ばしながら編み込んでなり、伸縮弾性を有しつつ、足の甲及び土踏まずの締付けを解放するようになす一方、
上記レッグ部及び履口部が、表糸をパイル編みのシンカー乗せ編みにて編成するとともに、裏糸としてゴム糸又はカバリングヤーンをコース方向に１目ないし３目の目数を飛ばしながら、伸縮弾性を有しつつ、足首より上方の締付けを解放するようになしたことを特徴とする靴下。
【発明の詳細な説明】
【０００１】
【発明の属する技術分野】
この発明は足の締付け感をなくして包み込むようなフィット感が得られるようにした靴下に関する。
【０００２】
【従来の技術】
通常、靴下では図４に示されるように、履口部３０、レッグ部３１、足甲部３２、底部３３、爪先部３４及び踵部３５についてはその裏糸のカバリングヤーン、具体的にはナイロン巻ポリウレタンの適度な伸縮弾性により、靴下を履いた人の脚や足に皺なくフィットさせる一方、履口部３０には更にゴム糸を編み込み、ゴム糸の大きな伸縮弾性によって靴下がずり落ちるのを防止することが行われている。
【０００３】
他方、足首より上方のレッグ部３１及び履口部３０をパイル編みにて編成し、靴下のずれ落ちを防止しつつ、履口部３０の締付け感を解消するようにした靴下も提案されている。
【０００４】
【発明が解決しようとする課題】
しかし、従来の編み方ではいずれも靴下を長時間にわたって履いていると、足が締め付けられたような感じを受け、特に老人の場合にはかかる締付け感を苦痛に感じる結果、履き難いという問題があった。
【０００５】
本発明は、かかる問題点に鑑み、足の締付け感を解消して包み込むようなフィット感が得られるようにした靴下を提供することを課題とする。
【０００６】
【課題を解決するための手段】
本件発明者は上述の課題を解決すべく鋭意研究した結果、足の締付け感が足の甲及び土踏まずの部分の締付けに密接に関連し、足の甲及び土踏まずの部分の伸縮弾性を小さくすればよいことを知見するに至ったが、単に足の甲及び土踏まずの部分の伸縮弾性を小さくすると、靴下の皺が懸念される一方、パイル編みのシンカー乗せ編みを採用すれば、伸縮弾性が小さく、伸びがパイル編みや平編みに比して２倍〜３倍以上になるように編成でき、しかも皺が出来にくいことを着目し、本発明を完成するに至った。
【０００７】
即ち、本発明に係る靴下は、編み糸とカバリーングヤーン及び／又はゴム糸とでもって爪先部、足甲部、底部、踵部、レッグ部及び履口部を編成してなる靴下において、上記足甲部及び底部のうちの足の甲及び土踏まずを覆う部分が、少なくとも１本の表糸をパイル編みのシンカー乗せ編みにて編成するとともに、裏糸してゴム糸又はカバリングヤーンをコース方向に少なくとも１目飛ばしながら編み込んでなり、伸縮弾性を有しつつ、足の甲及び土踏まずの締付けを解放するようになしたことを特徴とする。
【０００８】
本発明の特徴の１つは靴下の足の甲及び土踏まずの部分をパイル編みのシンカー乗せ編みによって編成するようにした点にある。これにより、靴下の足の甲及び土踏まずを覆う部分が平編みやパイル編みと同じ大きさでありながら、伸びが平編みやパイル編みに比して２倍以上となる結果、足の甲及び土踏まずの締付けを解放してつつみ込むようなフィット感が得られるとともに、シンカー乗せ編みの特性によって小さいながらも伸縮弾性を有するので、靴下に皺ができることもない。本発明はレッグ部の短いソックス、レッグ部の長いハイソックスのいずれにも適用できる。
【０００９】
靴下の足の甲及び土踏まずの部分以外の部分は靴下の編み方として一般的に採用されている編み方、例えば平編み、メッシュ編み、パイル編み又はこれらの組合せにて編成することができるが、履口部の締付け感を解消する上で、レッグ部及び履口部を、少なくとも１本の表糸をパイル編みのシンカー乗せ編みにて編成するとともに、裏糸してゴム糸又はカバリングヤーンをコース方向に少なくとも１目飛ばしながら編み込んでなり、伸縮弾性を有しつつ、足首より上方の締付けを解放するようになすのが好ましい。
【００１０】
編み糸は靴下の用途に応じて適宜選択すればよい。例えば、シンカー乗せ編みによる編成部分は、表糸として２本の８番ないし１２番の綿糸又は綿アクリル混紡糸、あるいは１６番ないし２４番の毛糸又は毛アクリル混紡糸を、裏糸として１本の９０番ないし１００番のゴム糸を用いて編成することができ、又表糸として１本の４番ないし６番の綿糸又は綿アクリル混紡糸、あるいは８番ないし１２番の毛糸又は毛アクリル混紡糸を、裏糸として１本の９０番ないし１００番のゴム糸を用いて編成することができる。このゴム糸はコース方向に少なくとも１目飛ばしながら編み込めばよいが、締付け感を解消するとともに皺の発生を防止する上で、３目飛ばしながら編み込むのがよい。
【００１１】
【作用及び発明の効果】
本発明によれば、靴下の足の甲及び土踏まずの部分をパイル編みのシンカー乗せ編みによって編成するようにしたので、靴下の足の甲及び土踏まずを覆う部分は平編みやパイル編みと同じ大きさでありながら、伸びが平編みやパイル編みに比して２倍以上となり、足の甲及び土踏まずの締付けが解放され、しかも伸びが大きいので、軟らかくつつみ込むようなフィット感となり、老人にも履きやすい靴下が得られる。また、パイル編みのシンカー乗せ編みによって締付けを解放するようにしているので、シンカー乗せ編みの特性によって靴下に皺ができることもない。
【００１２】
【発明の実施の形態】
以下、本発明を図面に示す具体例に基づいて詳細に説明する。図１は本発明に係る靴下の好ましい実施形態を示す。図において、靴下は履口部１０、レッグ部１１、足甲部１２、底部１３、踵部１５及び爪先部１４から構成されている。
【００１３】
足甲部１２及び底部１３のうち、足の甲及び土踏まずを覆う部分は表糸して２本の１６番ないし２４番の毛アクリル混紡糸を用い、パイル編みのシンカー乗せ編みにて所定幅で編成されるとともに、裏糸して１本の９０番のゴム糸を用い、３目飛ばしで編み込まれ、これにより締付けを解放してつつみ込むようなフィット感を得るようになっている。
【００１４】
また、足首より上方のレッグ部１１及び履口部１０も足の甲及び土踏まずを覆う部分と同様に編成され、締付けを開放しつつ、靴下のずり落ちを防止するようになっている。
【００１５】
爪先部１４及び踵部１５、底部１３の残部は表糸として１６番ないし２４番の毛アクリル混紡糸を、裏糸として４０デニールのナイロンと７０デニールのポリウレタンからなる１本のナイロン巻ポリウレタン糸を、１本の９０番のゴム糸を用いてパイル編みにて編成されている。
【００１６】
足甲部１２の爪先側部分は表糸及び裏糸として各々１本の１６番ないし２４番の毛アクリル混紡糸を用いるとともに、４０デニールのナイロンと７０デニールのポリウレタンからなる１本のナイロン巻ポリウレタン糸を用い、平編みにて編成されている。
【００１７】
レッグ部１１及び足甲部１２の足首の部分は表糸及び裏糸として各々１本の８番ないし１２番の綿アクリル混紡糸を用いるとともに、４０デニールのナイロンと７０デニールのポリウレタンからなる１本のナイロン巻ポリウレタン糸を用い、メッシュ編みにて編成され、これにより足首の適度なフィット感が得られるようになっている。
【００１８】
なお、図１において、２０はシンカー乗せ編みの部分、２１はメッシュ編みの部分、２２はパイル編みの部分、２３は平編みの部分を示す。
【００１９】
ここで、本例におけるパイル編みを説明すると、図２に示されるように、表糸４０ばシンカー５０の頭５１に乗せ、裏糸４１は乗せずに編成する一方、ゴム糸４４はシンカー５０の頭に乗せずにコース方向に適当な目数、即ち少なくとも１目飛ばしてながら編み込んでいる。従って、パイル４３の高さは図２の(a) における寸法ｔによって決まる。
【００２０】
他方、パイル編みのシンカー乗せ編みを説明すると、図３に示されるように、パイル編みにおける裏糸４１を表糸４０と同様にシンカー５０の頭５１に乗せて編む方法であって、この場合には両糸４０、４１とも表糸となり、ゴム糸４４が裏糸の代わりをすることとなる。
【００２１】
従って、シンカー乗せ編みではパイル編みのようなパイル４３はできないが、伸縮弾性が小さく、パイル編みと同じ大きさでありながら、伸びが２倍ないし３倍と大きく、締付けが小さくなるので、柔らかなつつみ込むようなフィット感が得られる。
【００２２】
また、伸びが大きいものの、伸縮弾性がゼロではないので、靴下に皺ができることもない。
【図面の簡単な説明】
【図１】  本発明に係る靴下における好ましい実施形態を示す図である。
【図２】  パイル編みを説明するための図である。
【図３】  シンカー乗せ編みを説明するための図である。
【図４】  一般的な靴下を説明するための図である。
【符号の説明】
１０      履口部
１１      レッグ部
１２      足甲部
１３      底部
１４      爪先部
１５      踵部
２０      シンカー乗せ編み部分
２１      メッシュ編み部分
２２      パイル編み部分
２３      平編み部分
【図１】
0003876377.tif 000002
【図２】
0003876377.tif 000003
【図３】
0003876377.tif 000004
【図４】
0003876377.tif 000005